(57)【要約】【課題】簡単かつ高精度に身体の脂肪量を演算することができる健康管理装置および健康管理プログラムを提供する。【解決手段】健康管理装置１０は、被検者の脂肪量を測定する基準装置で計測された基準脂肪量Ｆｏが入力される基準脂肪量入力部２１１と、被検者の体重が入力される体重入力部２１２と、被検者の基準脂肪量および体重を少なくとも記憶する記憶部２２と、今回の体重Ｗｎから前回の体重Ｗｂを差し引いた値を体重変化量ΔＷとして算出し、当該体重変化量ΔＷに所定の係数ｋ（０≦ｋ≦１）を掛けた値を脂肪変化量ΔＦとし、基準脂肪量Ｆｏに脂肪変化量ΔＦを加算して今回の脂肪量Ｆｎとして出力する脂肪量演算部２３と、を備える。【選択図】図２
2013116258.tif 000002
【特許請求の範囲】
【請求項１】
被検者の脂肪量を測定する基準装置で計測された基準脂肪量が入力される基準脂肪量入力部と、
被検者の体重が入力される体重入力部と、
被検者の基準脂肪量および体重を少なくとも記憶する記憶部と、
今回の体重から前回の体重を差し引いた値を体重変化量として算出し、当該体重変化量に所定の係数ｋ（０≦ｋ≦１）を掛けた値を脂肪変化量とし、前記基準脂肪量に前記脂肪変化量を加算して今回の脂肪量として出力する脂肪量演算部と、を備えた健康管理装置。
【請求項２】
被検者の所定の身体部位の生体インピーダンスが入力されるインピーダンス入力部を備え、
前記記憶部は、被検者の生体インピーダンスを記憶し、
前記脂肪量演算部は、今回の生体インピーダンスから過去の生体インピーダンスに基づく基準値を差し引いた値が所定のしきい値を超える場合には、前記係数ｋとしてしきい値以下の場合より小さくした値を用いて前記脂肪変化量を演算する、請求項１に記載の健康管理装置。
【請求項３】
前記脂肪量演算部は、今回の生体インピーダンスから過去の生体インピーダンスに基づく基準値を差し引いた値が所定のしきい値以下の場合には、前記係数ｋを１として前記脂肪変化量を演算する、請求項２に記載の健康管理装置。
【請求項４】
前記脂肪量演算部は、基準脂肪量およびそのときの体重が複数入力された場合に、基準脂肪量の変化量と、これに対応する体重の変化量との相関関係から被検者の身体特性を演算し、当該身体特性に基づいて前記係数ｋの値を変更し、当該係数ｋの値および最新の基準脂肪量を用いて前記脂肪変化量を演算する、請求項１〜３の何れかに記載の健康管理装置。
【請求項５】
被検者の所定の部位における周回の寸法が入力される周回寸法入力部を備え、
前記記憶部は、被検者の周回の寸法を記憶し、
前記脂肪量演算部は、今回の周回の寸法から前回の周回の寸法を差し引いた値に応じて前記係数ｋの値を変更し、当該係数ｋの値を用いて前記脂肪変化量を演算する、請求項１〜４の何れかに記載の健康管理装置。
【請求項６】
被検者の所定の部位における周回の寸法が入力される周回寸法入力部と、
被検者の身長、性別、年齢のうちの少なくとも１つを含む身体情報が入力される身体情報入力部と、を備え、
前記記憶部は、被検者の周回の寸法および身体情報を記憶し、
前記脂肪量演算部は、前記身体情報に基づいて被検者の所定の部位における周回の寸法を推定し、当該周回の寸法の推定値と周回寸法入力部に入力された被検者の周回の寸法との差分に応じて前記係数ｋの値を変更し、当該ｋの値を用いて前記脂肪変化量を演算する、請求項１〜４の何れかに記載の健康管理装置。
【請求項７】
前記基準装置は、水中体重測定装置、二重Ｘ線エネルギー吸収測定装置、Ｘ線ＣＴ装置およびＭＲＩ装置の何れかである、請求項１〜６の何れかに記載の健康管理装置。
【請求項８】
被検者の体重を計測する体重計測部を備え、
前記体重計測部で計測された体重が前記体重入力部に入力される、請求項１〜７の何れかに記載の健康管理装置。
【請求項９】
被検者の生体インピーダンスを計測するインピーダンス計測部を備え、
前記生体インピーダンス計測部で計測された生体インピーダンスが前記インピーダンス入力部に入力される、請求項２または３に記載の健康管理装置。
【請求項１０】
コンピュータを、
被検者の脂肪量を測定する基準装置で計測された基準脂肪量および被検者の体重を記憶する記憶手段、および
前回の体重と今回の体重との差分から体重変化量を算出し、当該体重変化量に所定の係数ｋ（０≦ｋ≦１）を掛けた値を脂肪変化量とし、前記基準脂肪量に前記脂肪変化量を加算して今回の脂肪量として出力する脂肪量演算手段として機能させる、健康管理プログラム。
【発明の詳細な説明】
【技術分野】
【０００１】
本発明は健康管理装置および健康管理プログラムに関し、特に被検者の脂肪量を演算する健康管理装置および健康管理プログラムに関する。
【背景技術】
【０００２】
近年、被検者の生体インピーダンスを計測することにより体脂肪率を測定する体脂肪計が一般的に用いられている（例えば特許文献１参照）。しかしながら、生体インピーダンスを用いて体脂肪率を演算する方法（以下、インピーダンス法）は、以下の根本的な問題がある。
【０００３】
すなわち、インピーダンス法は、あくまで身体の水分量変化に基づく生体インピーダンスに基づいて脂肪量を推定するものであり、直接的に脂肪の量を計測していない。具体的には、インピーダンス法においては、計測された生体インピーダンスに基づいて水中体重測定装置、二重Ｘ線エネルギー吸収（ＤＸＡ）測定装置、Ｘ線ＣＴ装置およびＭＲＩ装置等で計測される実測値に近い脂肪量とそのときの水分量との相関関係が被検者の身体情報（身長、性別、年齢等）に応じて予めモデル化してあり、入力された身体情報に応じたモデルを用いて、計測された生体インピーダンスに基づく水分量から脂肪量を推定している。このように、インピーダンス法においては計測された体内の水分量から脂肪量を推定するために、身体情報に応じてモデル化された一般的な体型における脂肪量の平均的な値を用いているため、実際の脂肪量とは誤差が生じ、脂肪量の高精度な計測を行うことができない。
【０００４】
また、入浴、運動、飲食等の直後やむくみが発生している場合等においては、脂肪とは関係しない水分量の変化が大きいため、このような場合にインピーダンス法を用いて計測すると、実際の脂肪量が変化していなくても、インピーダンス法による体脂肪計が出力する数値（脂肪量推定値）が変化してしまい、正しい測定が行えない。
【先行技術文献】
【特許文献】
【０００５】
【特許文献１】特開２００３−９３３６３号公報
【発明の概要】
【発明が解決しようとする課題】
【０００６】
本発明の発明者らは、インピーダンス法による脂肪量の推定がどの程度誤差が生じるのかを調べた。ここでは、複数人数（１４名）が所定の期間（３ヶ月）、減量を行い、その前後の体脂肪変化量を体重変化量とともに各種条件下（測定前絶食、前日の運動禁止、当日の入浴禁止など）においてインピーダンス法およびＤＸＡ法を用いて算出した。その結果、１４名中９名が減量に成功し、体重変化量の平均値は−２．８ｋｇであった。このときの体脂肪変化量の平均値は、ＤＸＡ法で−３．２ｋｇであったのに対し、インピーダンス法では−１．１ｋｇとなり、ＤＸＡ法とは大きく異なる結果となった。このように、より実測値に近いＤＸＡ法に対して、インピーダンス法は誤差が大きいことが見て取れる。これは、インピーダンス法を用いた体脂肪計のプログラムに使用者個人の経過情報を反映したプログラムが入っておらず、あくまで一般の健常者を想定した体型の平均的要素に基づいた一過性の回帰式を用いていることによる影響であると考えられる。また、インピーダンス法は体内の水分量から脂肪量を推定しているため、特に減量直後の水分変化（水分の減少）が脂肪量の上昇と判断されて、ＤＸＡ法に比べて脂肪変化量（減少量）が少なくなっていることも考えられる。このように、インピーダンス法は、実際の脂肪量変化以外の要素で大きく変化するため、高精度な脂肪量の演算は難しい場合が多い。
【０００７】
本発明は、このような事情に鑑みてなされたものであり、簡単かつ高精度に身体の脂肪量を演算することができる健康管理装置および健康管理プログラムを提供することを目的とする。
【課題を解決するための手段】
【０００８】
上記課題を解決するため、本発明に係る健康管理装置は、被検者の脂肪量を測定する基準装置で計測された基準脂肪量が入力される基準脂肪量入力部と、被検者の体重が入力される体重入力部と、被検者の基準脂肪量および体重を少なくとも記憶する記憶部と、今回の体重から前回の体重を差し引いた値を体重変化量として算出し、当該体重変化量に所定の係数ｋ（０≦ｋ≦１）を掛けた値を脂肪変化量とし、前記基準脂肪量に前記脂肪変化量を加算して今回の脂肪量として出力する脂肪量演算部と、を備えている。
【０００９】
上記構成によれば、２回の体重入力の差分である体重変化量に所定の係数ｋを掛けた値を脂肪変化量とみなした上で、予め基準装置において測定された被検者の実際の脂肪量に加算することにより、脂肪量が演算される。したがって、簡単かつ高精度に身体の脂肪量を演算することができる。
【００１０】
健康管理装置は、被検者の所定の身体部位の生体インピーダンスが入力されるインピーダンス入力部を備え、前記記憶部は、被検者の生体インピーダンスを記憶し、前記脂肪量演算部は、今回の生体インピーダンスから過去の生体インピーダンスに基づく基準値を差し引いた値が所定のしきい値を超える場合には、前記係数ｋとしてしきい値以下の場合より小さくした値を用いて前記脂肪変化量を演算してもよい。生体インピーダンスが大きく変化した場合には、水分変化が大きいと考えられる。このため、このような場合には体重変化量に掛けられる係数ｋの値を小さくすることにより体重変化に基づく脂肪変化量を小さく調整することができる。したがって、より高精度に脂肪量を演算することができる。
【００１１】
前記脂肪量演算部は、今回の生体インピーダンスから過去の生体インピーダンスに基づく基準値を差し引いた値が所定のしきい値以下の場合には、前記係数ｋを１として前記脂肪変化量を演算してもよい。生体インピーダンスが大きく変化しない限り、体重変化量を脂肪変化量としてみなすことにより、簡単に脂肪量を演算することができる。
【００１２】
前記脂肪量演算部は、基準脂肪量およびそのときの体重が複数入力された場合に、基準脂肪量の変化量と、これに対応する体重の変化量との相関関係から被検者の身体特性を演算し、当該身体特性に基づいて前記係数ｋの値を変更し、当該係数ｋの値および最新の基準脂肪量を用いて前記脂肪変化量を演算してもよい。これにより、基準脂肪量の変化量と体重の変化量との相対関係から体重変化に占める脂肪量変化の割合が被験者ごとに求められる。したがって、この割合に応じて係数ｋの値を変更することにより、より被験者の特性に合致した脂肪量の演算を高精度に行うことができる。
【００１３】
健康管理装置は、被検者の所定の部位における周回の寸法が入力される周回寸法入力部を備え、前記記憶部は、被検者の周回の寸法を記憶し、前記脂肪量演算部は、今回の周回の寸法から前回の周回の寸法を差し引いた値に応じて前記係数ｋの値を変更し、当該係数ｋの値を用いて前記脂肪変化量を演算してもよい。被験者の周回の寸法（例えば、胴囲、腰囲、胸囲など）の変化に応じて係数ｋの値を変更することにより、計測したい部位の脂肪量をより高精度に演算することができる（例えば、胴囲が所定のしきい値以上であれば係数ｋの値を増やすことで、胴囲との相関関係が大きい腹部内臓脂肪量を演算することができる）。
【００１４】
健康管理装置は、被検者の所定の部位における周回の寸法が入力される周回寸法入力部と、被検者の身長、性別、年齢のうちの少なくとも１つを含む身体情報が入力される身体情報入力部と、を備え、前記記憶部は、被検者の周回の寸法および身体情報を記憶し、前記脂肪量演算部は、前記身体情報に基づいて被検者の所定の部位における周回の寸法を推定し、当該周回の寸法の推定値と周回寸法入力部に入力された被検者の周回の寸法との差分に応じて前記係数ｋの値を変更し、当該ｋの値を用いて前記脂肪変化量を演算してもよい。これにより、身体情報に基づいて推定される周回の寸法の推定値と実際に測定された周回の寸法との差分に応じて係数ｋの値を変更することにより、より被験者の実情に沿った演算を行うことができ、計測したい部位の脂肪量をより高精度に演算することができる。
【００１５】
前記基準装置は、水中体重測定装置、二重Ｘ線エネルギー吸収測定装置、Ｘ線ＣＴ装置およびＭＲＩ装置の何れかであってもよい。
【００１６】
健康管理装置は、被検者の体重を計測する体重計測部を備え、前記体重計測部で計測された体重が前記体重入力部に入力されるよう構成されてもよい。これにより、体重を別の装置で計測して入力する手間が省かれるため、使用者が本健康管理装置を用いて容易に脂肪量の演算を行うことができる。
【００１７】
健康管理装置は、被検者の生体インピーダンスを計測するインピーダンス計測部を備え、前記生体インピーダンス計測部で計測された生体インピーダンスが前記インピーダンス入力部に入力されるよう構成されてもよい。これにより、生体インピーダンスを別の装置で計測して入力する手間が省かれるため、使用者が本健康管理装置を用いて容易に脂肪量の演算を行うことができる。
【００１８】
本発明に係る健康管理プログラムは、コンピュータを、被検者の脂肪量を測定する基準装置で計測された基準脂肪量および被検者の体重を記憶する記憶手段、および前回の体重と今回の体重との差分から体重変化量を算出し、当該体重変化量に所定の係数ｋ（０≦ｋ≦１）を掛けた値を脂肪変化量とし、前記基準脂肪量に前記脂肪変化量を加算して今回の脂肪量として出力する脂肪量演算手段として機能させるものである。
【００１９】
上記プログラムによれば、２回の体重入力の差分である体重変化量に所定の係数ｋを掛けた値を脂肪変化量とみなした上で、予め基準装置において測定された被検者の実際の脂肪量に加算することにより、脂肪量が演算される。したがって、簡単かつ高精度に身体の脂肪量を演算することができる。
【発明の効果】
【００２０】
本発明は、上記のように構成され、簡単かつ高精度に身体の脂肪量を演算することができる。
【図面の簡単な説明】
【００２１】
【図１】図１は、本発明の一実施形態における健康管理装置を示す外観斜視図である。
【図２】図２は、図１に示す健康管理装置の信号処理に関するハードウェア構成を示したブロック図である。
【図３】図３は、図１に示す健康管理装置の制御の流れの一例を示すフローチャートである。
【発明を実施するための形態】
【００２２】
以下、本発明の実施形態における健康管理装置および健康管理プログラムの具体的な構成例について、図面を参照しながら説明する。なお、以下では全ての図面を通じて同一または相当する要素には同一の参照符号を付して、その重複する説明を省略する場合がある。また、以下の具体的な説明は、本発明における健康管理装置および健康管理プログラムの特徴を例示しているに過ぎない。例えば、上記健康管理装置を特定した用語と同じ用語または相当する用語に適宜の参照符号を付して以下の具体例を説明する場合、当該具体的な構成要素は、これに対応する上記健康管理装置の構成要素の一例である。したがって、上記健康管理装置および健康管理プログラムの特徴は、以下の具体的な説明によって限定されない。
【００２３】
＜全体構造＞
図１は、本発明の一実施形態における健康管理装置を示す外観斜視図である。図１に示すように、健康管理装置１０は、主として、本体部１１と体重計測部１３とを備えている。本体部１１には、その左右端に左突出部１８ａと右突出部１８ｂとが形成されている。両突出部１８ａ，１８ｂは、図１に示すように、左右方向に板状に突出した形状を有している。被検者は左手（正確には左手の指先）で左突出部１８ａを把持し、右手（正確には右手の指先）で右突出部１８ｂを把持することによって、本体部１１を保持することができる。
【００２４】
また、体重計測部１３には、本体部１１を収納するための本体収納部１３ａが設けられており、ここに本体部１１の脱着部１１ａを嵌め込むことができる。つまり、体重計測部１３の本体収納部１３ａに、本体部１１の脱着部１１ａを嵌め込むことにより、本体部１１を体重計測部１３にコンパクトに収納することができる。
【００２５】
後述するように、生体インピーダンスを測定する場合には、図１に示すように、体重計測部１３から本体部１１を離脱させ、本体部１１を両手で保持する。図２は、図１に示す健康管理装置の信号処理に関するハードウェア構成を示したブロック図である。
【００２６】
図１および図２に示すように、健康管理装置１０は、被検者の体重を計測するための体重計測部１３と、生体インピーダンスを計測するための電極Ｅ１〜Ｅ８を含むインピーダンス計測部１４と、各種の入力操作を行う入力操作部１５と、表示部１６と、制御部２０とを備えている。
【００２７】
４つの脚用電極（Ｅ５，Ｅ６，Ｅ７，Ｅ８）および体重計測部１３に設けられたロードセルは、体重計測部１３に設けられている。４つの手用電極（Ｅ１，Ｅ２，Ｅ３，Ｅ４）、電極Ｅ１〜Ｅ８以外のインピーダンス計測部１４、入力操作部１５、表示部１６および制御部２０は、本体部１１に設けられている。本体部１１と体重計測部１３とは、信号ケーブル１２によって接続されている。信号ケーブル１２は多芯のケーブルである。本体部１１に内蔵された部材と体重計測部１３に内蔵された部材との間の電気信号の送受信は、信号ケーブル１２を介して行われる。各種信号やデ−タは、必要に応じてＡ／Ｄ変換器（図示せず）でディジタル化されて伝送される。
【００２８】
体重計測部１３には、被検者の体重を計測するためのロードセル（図示せず）が内蔵されている。被検者が、自己の体重を計測するために体重計測部１３の計測面１７に載ると、被検者の体重がロードセルによって検出される。なお、ロードセルによって検出された被検者の体重のデ−タは、検出精度を保持するべく、アンプ（図示せず）によって増幅された後にＡ／Ｄ変換され、ディジタル信号として制御部２０（後述する入出力部２１）に入力される。
【００２９】
本体部１１の左突出部１８ａの一端面には電極Ｅ１が配設され、左突出部１８ａの他端面には電極Ｅ２が配設されている。また、右突出部１８ｂの一端面には電極Ｅ４が配設され、右突出部１８ｂの他端面には電極Ｅ３が配設されている。また、体重計測部１３の計測面１７には脚用電極（Ｅ５，Ｅ６，Ｅ７，Ｅ８）が配設されている。
【００３０】
生体インピーダンスを計測する際には、被検者は、左手の人指し指の指先が電極Ｅ１に接触するように、かつ、左手の親指の指先が電極Ｅ２に接触するようにして、左手で左突出部１８ａを把持する。また、被検者は、右手の人指し指の指先が電極Ｅ４に接触するように、かつ、右手の親指の指先が電極Ｅ３に接触するようにして、右手で右突出部１８ｂを把持する。さらに、被検者は、脚の裏が各脚用電極（Ｅ５，Ｅ６，Ｅ７，Ｅ８）に接触するように、計測面１７に載る。
【００３１】
インピーダンス計測部１４は、交流電流源および電圧計測部（ともに図示せず）を有している。電極Ｅ１〜Ｅ８のうち、前方に位置する電極（Ｅ１，Ｅ４，Ｅ５，Ｅ８）は、交流電流源と接続され、被検者の身体に電流路を形成するための電流路形成用電極として機能する。また、後方に位置する電極（Ｅ２，Ｅ３，Ｅ６，Ｅ７）は、電圧計測部と接続され、被検者の身体に生ずる電圧分布に応じて２極間の電圧を測定するための電圧測定用電極として機能する。電流路形成用電極（Ｅ１，Ｅ４，Ｅ５，Ｅ８）のうちのいずれか２つの電極に交流電流源を接続して、当該電極間に所定周波数の微弱な交流電流を流すと、この電流によって被検者の身体に電圧分布が生じる。このような状態において、インピーダンス計測部１４は、電圧測定用電極（Ｅ２，Ｅ３，Ｅ６，Ｅ７）のうちの２つの電極に電圧計測部を接続して、当該電極間の電圧を測定する。そして、インピーダンス計測部１４は、被検者の身体を流れる電流の電流値と、測定された電圧値とから、生体インピーダンスを算出する。インピーダンス計測部１４の制御は、制御部２０によって行われる。
【００３２】
以上のように、本実施形態の健康管理装置１０には、体重計測部１３およびインピーダンス計測部１４が設けられている。これにより、体重や生体インピーダンスを別の装置で計測して入力する手間が省かれるため、使用者が本健康管理装置１０を用いて容易に後述する脂肪量の演算を行うことができる。
【００３３】
入力操作部１５には、電源スイッチ、被検者による入力用スイッチなど各種のスイッチ
（図示せず）が配設されている。入力操作部１５は、被検者が後述する基準装置で得られた基準脂肪量を入力したり、被検者の所定の部位における周回の寸法（例えば胴囲、腰囲、胸囲など）を入力したり、被検者の身長、性別、年齢のうちの少なくとも１つを含む身体情報を入力したりすることができるように構成されている。さらに、入力操作部１５に体重および生体インピーダンスを入力可能としてもよい。これにより、体重計測部１３やインピーダンス計測部１４を用いて体重や生体インピーダンスを必ずしも毎回計測することなく脂肪量の演算を行うことができる。
【００３４】
制御部２０は、各種の計測部および入力操作部１５からの情報に基づいて演算を行うコンピュータであり、例えばマイクロプロセッサなどにより構成される。制御部２０は、各種計測部および入力操作部１５からの情報が入力され、表示部１６などに演算結果を出力する入出力部２１と、入出力部２１から入力された情報および演算結果を記憶するＲＯＭやＲＡＭ等を有する記憶部２２と、各種の情報に基づいて所定の演算を行うＣＰＵ等を有する演算部２３とを備えている。
【００３５】
入出力部２１、記憶部２２および演算部２３は、バス２４により互いに通信可能に接続されている。また、入出力部２１には、体重計測部１３、インピーダンス計測部１４、入力操作部１５および表示部１６が接続されている。記憶部２２には、各種演算を行うための健康管理プログラム１００が記憶されており、制御部２０は、健康管理プログラム１００に基づいて各種情報を取得し、それに基づいて各種の演算を行う。
【００３６】
健康管理プログラム１００は、コンピュータである制御部２０を、被検者の脂肪量を演算するよう機能させる。具体的には、制御部２０の入出力部２１は、被検者の脂肪量を測定する基準装置（後述）で計測された基準脂肪量が入力される基準脂肪量入力部２１１および被検者の体重が入力される体重入力部２１２として機能し、制御部２０の記憶部２２は、被検者の基準脂肪量および体重を少なくとも記憶するよう機能し、制御部２０の演算部２３は、基準脂肪量および被検者の体重変化から脂肪量を演算する脂肪量演算部２３１として機能する。体重入力部２１２には、体重計測部１３で計測された体重が入力される。また、入出力部２１と基準装置とが通信可能に接続され、基準装置で計測された基準脂肪量が基準脂肪量入力部２１１に入力されることとしてもよい。
【００３７】
さらに、入出力部２１は、被検者の所定の身体部位の生体インピーダンスが入力されるインピーダンス入力部２１３、被検者の所定の部位における周回の寸法が入力される周回寸法入力部２１４および被検者の身長、性別、年齢のうちの少なくとも１つを含む身体情報が入力される身体情報入力部２１５としても機能する。この場合、各入力部から入力される生体インピーダンス、周回の寸法および身体情報は、記憶部２２に記憶される。また、インピーダンス入力部２１３には、インピーダンス計測部１４で計測された生体インピーダンスが入力される。また、被検者の周回の寸法を計測するための周回寸法計測装置（図示せず）と入出力部２１とが有線または無線通信可能に接続され、周回寸法計測装置で計測された周回の寸法が周回寸法入力部２１４に入力されることとしてもよい。なお、周回寸法計測装置としては、例えば、赤外線センサなどにより被検者の周回の寸法を非接触で自動計測する装置などを含む。
【００３８】
基準装置は、病院等の施設に設置され、脂肪量を高精度に測定可能な公知の装置である。基準装置は、例えば水中体重測定装置、二重Ｘ線エネルギー吸収測定装置（ＤＸＡ装置）、Ｘ線ＣＴ装置およびＭＲＩ装置などを採用可能である。このような基準装置は、高精度に測定可能ではあるものの、装置が大きい、高価、測定操作に専門性を必要とするなど頻繁に測定することは困難である。したがって、本発明は、基準装置を用いて少なくとも１回（病院での定期健診などで）脂肪量を計測しておき、それ以降においては、当該脂肪量を基準として用いて、簡単な方法で安価かつ頻繁に脂肪量の変化を把握することができるものである。
【００３９】
基準装置によって測定された脂肪量が基準脂肪量として基準脂肪量入力部２１１に入力される。前述したとおり、入力操作部１５を用いて手入力することとしてもよいし、基準装置および健康管理装置１０の基準脂肪量入力部２１１とを有線または無線により通信接続して基準装置によって測定された脂肪量が基準脂肪量入力部２１１に入力されることとしてもよい。
【００４０】
＜脂肪量Ｆｎの演算式および係数ｋの基本設定＞
本実施形態において、脂肪量演算部２３１は、記憶部２２から前回の体重Ｗｂ（記憶部２２に記憶されている体重のうちの今回の体重Ｗｎを除いた最新の値）を読み出すとともに、体重計測部１３から今回の体重Ｗｎを取得する。さらに、脂肪量演算部２３１は、記憶部２２から基準脂肪量Ｆｏを読み出す。その上で、脂肪量演算部２３１は、今回の体重Ｗｎから前回の体重Ｗｂを差し引いた値を体重変化量ΔＷとして算出し、当該体重変化量ΔＷに所定の係数ｋ（０≦ｋ≦１）を掛けた値を脂肪変化量ΔＦとし、基準脂肪量Ｆｏに脂肪変化量ΔＦを加算して今回の脂肪量Ｆｎとして出力する。すなわち、脂肪量Ｆｎは、Ｆｎ＝Ｆｏ＋ΔＦ＝Ｆｏ＋ｋΔＷ＝Ｆｏ＋ｋ（Ｗｎ−Ｗｂ）となる。
【００４１】
上記構成によれば、２回の体重入力の差分である体重変化量ΔＷに所定の係数ｋを掛けた値を脂肪変化量ΔＦとみなしている。すなわち、特に成人の場合には、余程のことがない限り、体重が変化しても筋肉（たんぱく質）や骨はほとんど変化せず、脂肪および水分が変化する。
【００４２】
このため、体重変化における脂肪の割合（脂肪変化比率）を、測定する脂肪の種類（体脂肪、内臓脂肪など）や部位（腹部など）に応じて係数ｋとして設定する。すなわち、脂肪以外の量（が体重変化に含まれる割合）は体重変化によらず一定とみなして脂肪変化量ΔＦが演算される。その上で、予め基準装置において測定された被検者の実際の脂肪量Ｆｏに演算によって得られた脂肪変化量ΔＦが加算されることにより、脂肪量Ｆｎが演算される。したがって、生体インピーダンスを直接用いることなく簡単かつ高精度に身体の脂肪量を演算することができる。
【００４３】
本実施形態においては、脂肪変化量ΔＦとして、体脂肪の変化量および内臓脂肪の変化量のいずれをも演算することができる。すなわち、係数ｋの値は、演算する脂肪の部位（体脂肪か内臓脂肪か）に応じて異なる値を用いることができる。例えば体脂肪の場合は、係数ｋ＝１とし、内臓脂肪の場合は、これより小さい値（０＜ｋ＜１）としてもよい。その上で後述するように、被検者の生体インピーダンス、周回の寸法またはその他の身体情報（身長、性別、年齢等）などから得られる個人差に応じて係数ｋの値を適宜変更することとしてもよい。
【００４４】
＜係数ｋの変更態様１＞
本実施形態において、脂肪量演算部２３１は、生体インピーダンスの変化に応じて係数ｋの値を変更し、当該変更した係数ｋを用いて脂肪変化量ΔＦを演算することも可能である。この際、まず脂肪量演算部２３１は、インピーダンス計測部１４から今回の生体インピーダンスＲｎを取得し、記憶部２２から、過去の生体インピーダンスＲｂとともに、予め設定され、記憶された生体インピーダンスの差分のしきい値Ｒｔを読み出す。そして、脂肪量演算部２３１は、今回の生体インピーダンスＲｎから過去の生体インピーダンスに基づく基準値Ｒｏを差し引いた値ΔＲが所定のしきい値Ｒｔを超える場合には、係数ｋとしてしきい値Ｒｔ以下の場合より小さくした値を用いて脂肪変化量ΔＦを演算する。なお、基準値Ｒｏは、前回の生体インピーダンスＲｂ（記憶部２２に記憶されている生体インピーダンスのうちの今回の値を除いた最新の値）であってもよいし、記憶部２２に記憶されている生体インピーダンスの平均値または中央値であってもよい。
【００４５】
例えば、脂肪量演算部２３１は、今回の生体インピーダンスＲｎから過去の生体インピーダンスに基づく基準値Ｒｏを差し引いた値ΔＲが所定のしきい値Ｒｔ以下の場合には、係数ｋを１として脂肪変化量ΔＦを演算し、ΔＲがしきい値Ｒｔを超える場合には、係数ｋとして１より小さい値を用いて脂肪変化量ΔＦを演算してもよい。
【００４６】
この場合、生体インピーダンスが大きく変化しない限り、体重変化量を脂肪変化量としてみなすことにより、簡単に脂肪量を演算することができる。また、生体インピーダンスが大きく変化した場合には、水分変化が大きいと考えられるため、このような場合には体重変化量ΔＷに掛けられる係数ｋの値を小さくする（脂肪以外の量の割合を大きくする）。これにより、体重変化に基づく脂肪変化量ΔＦを小さく調整することができる。したがって、生体インピーダンスの値を間接的に用いて個人差を調整することにより、より高精度に脂肪量を演算することができる。なお、しきい値Ｒｔを複数設けて、段階的に係数ｋの値を小さくしていくこととしてもよい。また、変更前の係数ｋを０でない値（０＜ｋ≦１）とした上で、しきい値Ｒｔをある程度大きく設定しておき、当該しきい値Ｒｔを超えた場合には、係数ｋの値を０（すなわち脂肪変化量ΔＦ＝０）としてもよい（このような場合、係数ｋの値は０をとり得る）。
【００４７】
＜係数ｋの変更態様２＞
また、本実施形態において、脂肪量演算部２３１は、被検者の周回の寸法の変化に応じて係数ｋの値を変更し、当該変更した係数ｋを用いて脂肪変化量ΔＦを演算することも可能である。この際、まず脂肪量演算部２３１は、記憶部２２から今回の周回の寸法および前回の周回の寸法を読み出す。そして、脂肪量演算部２３１は、今回の周回の寸法から前回の周回の寸法を差し引いた値に応じて係数ｋの値を変更し、当該係数ｋの値を用いて脂肪変化量ΔＦを演算する。
【００４８】
被験者の周回の寸法（例えば、胴囲、腰囲、胸囲など）の変化に応じて係数ｋの値を変更することにより、計測したい部位の脂肪量をより高精度に演算することができる。例えば、胴囲Ｘが所定のしきい値Ｘｔ以上であれば係数ｋの値を増やすことで、胴囲Ｘとの相関関係が大きい腹部内臓脂肪量を高精度に演算することができる。
【００４９】
＜係数ｋの変更態様３＞
また、本実施形態において、脂肪量演算部２３１は、基準脂肪量Ｆｏおよびそのときの体重が複数入力された場合に、当該基準脂肪量Ｆｏおよび体重の変化に応じて係数ｋの値を変更し、当該変更した係数ｋを用いて脂肪変化量ΔＦを演算することも可能である。この際、脂肪量演算部２３１は、基準脂肪量が基準脂肪量入力部２１１に入力される際、そのときの体重も体重計測部１３または入力操作部１５から体重入力部２１２に入力するよう要求（例えば表示部１６に体重を入力または計測する旨の表示を行うなど）し、入力された体重を基準脂肪量Ｆｏと関連付けて記憶部２２に記憶する。さらに、複数の基準脂肪量Ｆｏが入力された場合には、脂肪量演算部２３１は、複数の基準脂肪量Ｆｏとともに、対応する体重を記憶部２２にそれぞれ記憶する。
【００５０】
その上で、脂肪量演算部２３１は、複数の基準脂肪量Ｆｏを差し引きしてその変化量ΔＦｏを演算するとともに、これに対応する複数の体重を差し引きしてその変化量ΔＷを演算し、それぞれの変化量ΔＦｏ，ΔＷから体重変化と基準脂肪量変化の相関関係に基づいて被検者の身体特性を演算する。そして、脂肪量演算部２３１は、演算された身体特性に基づいて係数ｋの値を変更し、当該係数ｋの値および最新の基準脂肪量Ｆｏを用いて脂肪変化量ΔＦを演算する。
【００５１】
これにより、基準脂肪量の変化量ΔＦｏと体重の変化量ΔＷとの相対関係から体重変化に占める脂肪量変化の割合が被験者ごとに求められる。したがって、この割合に応じて係数ｋの値を変更することにより、より被験者の特性に合致した脂肪量の演算を高精度に行うことができる。なお、体重の変化量ΔＷに加えてまたはこれに代えて、基準脂肪量Ｆｏとともにそのときの被検者の周回の寸法を記憶部２２に記憶した上で、基準脂肪量Ｆｏの変化量ΔＦｏと周回の寸法の変化量ΔＬとの相対関係に基づいて係数ｋの値を変更することとしてもよい。基準脂肪量の変化量ΔＦｏと演算される脂肪変化量ΔＦとの間における個人差を是正する具体的な方法としては、例えば特許第４４３４６７８号公報などに記載されている。
【００５２】
＜係数ｋの変更態様４＞
また、本実施形態において、脂肪量演算部２３１は、被検者の身体情報（身長、性別、年齢など）、生体インピーダンスおよび体重に基づいて被検者の所定部位における周回の寸法（例えば胴位）を推定し、当該周回の寸法の推定値と周回寸法入力部２１４に入力された被検者の周回の寸法（実際に測定された値）との差分に応じて係数ｋの値を変更し、当該変更した係数ｋを用いて脂肪量変化量ΔＦを演算することも可能である。この際、脂肪量演算部２３１は、身体情報が身体情報入力部２１５に入力されると、当該入力された身体情報を記憶部２２に記憶する。そして、脂肪量演算部２３１は、記憶部２２から身体情報、生体インピーダンスおよび体重を読み出し、身長および体重よりＢＭＩ（（体重）／（身長）２）および標準体重（（身長）２×２２など）を演算し、さらに、これらの各値から所定の演算式を用いて周回の寸法を推定する。周回の寸法を推定するための具体的な方法としては、例えば特許第４４４３１１４号公報などに記載されている。
【００５３】
さらに、脂肪量演算部２３１は、周回寸法入力部２１４に被検者の周回の寸法が入力された場合に、当該入力された周回の寸法の実測値と、演算により得られた周回の寸法の推定値との差分を演算し、当該差分に応じて係数ｋの値を変更し、当該係数ｋの値を用いて脂肪変化量ΔＦを演算する。
【００５４】
これにより、より被験者の実情に沿った演算を行うことができ、計測したい部位の脂肪量をより高精度に演算することができる。
【００５５】
なお、入力する身体情報としては、身長、性別、年齢の他、被検者のＢＭＩなどの各種の指標を直接入力することとしてもよい。
【００５６】
＜制御の流れ＞
以下に、上記のような係数ｋの変更態様のうちのいくつか（以下では変更態様１および３）を備えた健康管理装置１０の制御の流れを例示する。当然ながらその他の変更態様も適宜採用可能である。図３は、図１に示す健康管理装置の制御の流れの一例を示すフローチャートである。本フローチャートは、健康管理装置１０の電源を入れてから電源を落とすまでの概要を示すものである。まず、電源投入後、表示部１６に登録番号の選択画面が表示される（ステップＳ１）。被検者が過去に登録している場合には、当該登録番号を選択入力し、新規の場合には新たな登録したい登録番号を選択入力する。制御部２０は、選択された登録番号が新規か否か（当該登録番号に過去データが存在するか否か）を判定する（ステップＳ２）。
【００５７】
選択された登録番号が新規である場合（ステップＳ２でＹｅｓ）、制御部２０は、表示部１６に身体情報の入力画面を表示させる（ステップＳ３）。そして、順次、身体情報の入力が行われる（例えば身長、年齢、性別および周回の寸法（胴囲）を入力する画面が順次表示される）。制御部２０は、入力された身体情報の各値を登録番号と関連付けて記憶部２２に記憶させる。一方、選択された登録番号に既にデータが存在する場合（ステップＳ２でＮｏ）、制御部２０は、登録されたデータを更新（変更）するか否かの問い合わせ画面を表示部１６に表示させる（ステップＳ４）。登録されたデータを更新する場合（ステップＳ４でＹｅｓ）、制御部２０は、前述の身体情報の入力画面を表示させる（ステップＳ３）。登録されたデータを更新しない場合（ステップＳ４でＮｏ）、当該登録番号に登録された身体情報のデータを記憶部２２から読み出す。
【００５８】
その後、制御部２０は、基準脂肪量Ｆｏを入力するか否かの問い合わせ画面を表示部１６に表示させる（ステップＳ５）。基準装置を用いて基準脂肪量Ｆｏが計測されている場合は、基準脂肪量Ｆｏを入力する旨の操作が行われることにより、制御部２０は、基準脂肪量Ｆｏの入力画面を表示し、基準脂肪量Ｆｏが入力された場合に当該基準脂肪量Ｆｏを登録番号に関連付けて記憶部２２に記憶させる（ステップＳ６）。前述したように、基準脂肪量Ｆｏの入力は、入力操作部１５を用いてて入力することとしてもよいし、制御部２０が健康管理装置１０に接続された基準装置から取得することとしてもよい。
【００５９】
基準脂肪量Ｆｏが入力された後または基準脂肪量Ｆｏを入力しない旨の操作が行われた後、制御部２０は、体重計測部１３を用いた体重計測を行うための体重計測処理を行う（ステップＳ７）とともに、インピーダンス計測部１４を用いた生体インピーダンス計測を行うための生体インピーダンス計測処理を行う（ステップＳ８）。計測された体重Ｗｎおよび生体インピーダンスＲｎは、登録番号に関連付けて記憶部２２に記憶される。
【００６０】
その後、制御部２０は、基準脂肪量Ｆｏが記憶部２２に１つ以上記憶されているか否かを判定する（ステップＳ９）。基準脂肪量Ｆｏが記憶部２２に１つ以上記憶されている場合、制御部２０の演算部２３は、脂肪量演算部２３１として機能し、最新の基準脂肪量Ｆｏに基づいて上述した係数ｋの値を設定し、記憶部２２に記憶させる（ステップＳ１０）。さらに、脂肪量演算部２３１は、基準脂肪量Ｆｏが記憶部２２に複数記憶されているか否かを判定し（ステップＳ１１）、複数記憶されている場合（ステップＳ１１でＹｅｓ）、基準脂肪量の変化量ΔＦｏと体重の変化量ΔＷおよび／または胴囲の変化量ΔＬとの相関関係に基づいて係数ｋの値を変更し、記憶部２２に記憶させる（ステップＳ１２：係数ｋの変更態様３）。
【００６１】
上記ステップＳ１２において係数ｋの値を変更した後または基準脂肪量Ｆｏが複数記憶されていない（１つのみ記憶されている）場合には、脂肪量演算部２３１は、インピーダンス計測部１４で計測された生体インピーダンスＲｎがしきい値Ｒｔを超えているか否かを判定する（ステップＳ１３）。生体インピーダンスＲｎがしきい値Ｒｔを超えている場合（ステップＳ１３でＹｅｓ）、脂肪量演算部２３１は、係数ｋをステップＳ１０またはステップＳ１２において設定した値より低い所定の値に変更し、記憶部２２に記憶させる（ステップＳ１４：係数ｋの変更態様１）。
【００６２】
このようにして得られた係数ｋの値に基づいて、脂肪量演算部２３１は、上記演算式を用いて脂肪量Ｆｎを演算する（ステップＳ１５）。具体的には、脂肪量Ｆｎの演算において、ステップＳ１１でＮｏかつステップＳ１３でＮｏの場合には、ステップＳ１０で設定された係数ｋの基本設定値を用い、ステップＳ１１でＹｅｓかつステップＳ１３でＮｏの場合には、ステップＳ１２で基準脂肪量の変化量ΔＦｏと体重の変化量ΔＷおよび／または周回の寸法の変化量ΔＬとの相関関係に基づいて変更された係数ｋの値を用い、ステップＳ１３でＹｅｓの場合には、ステップＳ１４で生体インピーダンスに基づいて変更された係数ｋの値を用いる。なお、前回の脂肪量Ｆｂが記憶部２２に記憶されていない場合（初めて脂肪量Ｆｎを演算する場合）には、前回の脂肪量Ｆｂとして基準脂肪量Ｆｏを用いてもよい。
【００６３】
脂肪量演算部２３１は、演算された脂肪量Ｆｎを表示部１６に表示するとともに、記憶部２２に記憶させる（ステップＳ１６）。
【００６４】
ここで、選択された登録番号に該当する基準脂肪量Ｆｏが全く記憶されていない場合（ステップＳ９でＮｏ）には、制御部２０は、一般的なインピーダンス法による脂肪量演算を行うこととしてもよい（ステップＳ１７）。すなわち、健康管理装置１０を一般的なインピーダンス法による体脂肪計としても使用可能である。基準装置による基準脂肪量Ｆｏの計測は、すぐに行えるとは限らないため、基準脂肪量が得られるまでの間には、一般的な体脂肪計として利用可能とすることにより、健康管理装置１０による脂肪量の演算を常に行うことができる。
【００６５】
また、基準脂肪量Ｆｏが全く記憶されていない場合には、一般的なインピーダンス法による脂肪量演算以外にも以下のような演算方法を用いることが可能である。
【００６６】
例えば、身体情報等に基づいて定められた一般的な脂肪量の平均値Ｆａを予め記憶部２２に記憶しておき、身体情報から求められる各値および上記係数ｋに基づいて脂肪量Ｆｎを演算してもよい。具体的には、例えば制御部２０は、身体情報から標準体重（（身長）２×２２など）と今回の体重Ｗｎとの差分を体重変化量ΔＷとみなして演算し、さらにこの差分に係数ｋ（０≦ｋ≦１）を掛けた値を脂肪変化量ΔＦとみなして演算し、当該値を脂肪量の平均値Ｆａに加えた値を脂肪量Ｆｎとして演算してもよい。また、例えば、身体情報から被検者の周回の寸法を推定し（上記係数ｋの変更態様２参照）、当該周回の寸法の推定値と今回の周回の寸法の実測値との差分に基づく値に係数ｋを掛けて割り増し脂肪量を演算し、当該割り増し脂肪量を脂肪量の平均値Ｆａに加えた値を脂肪量Ｆｎとして演算してもよい。
【００６７】
以上、本発明の実施形態について説明したが、本発明は上記実施形態に限定されるものではなく、その趣旨を逸脱しない範囲内で種々の改良、変更、修正が可能である。例えば、上記実施形態においては健康管理プログラム１００が健康管理装置１０の記憶部２２に記憶された構成を例示したが、これに限られず、一般的なパソコンなどのコンピュータ機器に健康管理プログラム１００が記憶された状態で、当該コンピュータ機器において健康管理プログラム１００を実行することとしてもよい。
【産業上の利用可能性】
【００６８】
本発明の健康管理装置および健康管理プログラムは、簡単かつ高精度に身体の脂肪量を演算するために有用である。
【符号の説明】
【００６９】
１０  健康管理装置
１１  本体部
１１ａ  脱着部
１２  信号ケーブル
１３  体重計測部
１３ａ  本体収納部
１４  インピーダンス計測部
１５  入力操作部
１６  表示部
１７  計測面
１８ａ  左突出部
１８ｂ  右突出部
２０  制御部（コンピュータ）
２１  入出力部
２２  記憶部
２３  演算部
２４  バス
１００  健康管理プログラム
２１１  基準脂肪量入力部
２１２  体重入力部
２１３  インピーダンス入力部
２１４  周回寸法入力部
２１５  身体情報入力部
２３１  脂肪量演算部
Ｅ１〜Ｅ８  電極
【図１】
2013116258.tif 000003
【図２】
2013116258.tif 000004
【図３】
2013116258.tif 000005